(57)【要約】【課題】  多様化する音楽再生装置の進歩は早くワイヤレス音楽再生装置の普及も徐々にその応用装置の開発が進んで来た。しかしながら未だ多くの改良とその応用装置の開発が残されており本、発明はそのワイヤレス音楽再生装置のシステム構成、音楽情報の表示、音楽再生方式、音楽データーメモリー方式、操作機能、等において他の音楽再生装置に比べ未だ解決されない要素が残っておりこれらの課題を解決を行い使い易い便利なワイヤレス音楽再生装置を提供するものである。【解決手段】  ワイヤレス音楽再生装置のシステム構成要素とした音楽情報の表示構成には音楽情報内容を表示出来る文字表示手段、音楽ソースの再生選択にはメモリーチェンジャー方式、マルチ使用に対応した内蔵電源、自動車シガライターからの供給方式、音楽データー送信部と音楽再生部を分離、等の手段等を用いて課題解決を図る。【選択図】図３
2006199255.tif 000002
【特許請求の範囲】
【請求項１】
自動車のシガライターソケットから電力を供給する事が出来る構成を有した図３に示すワイヤレス音楽プレーヤー（１）において複数の音楽を入力する事ができる端子を有し再生音楽情報と機能を表示する事ができる表示装置、再生音楽の制御を行う事ができるツマミ機能、再生音楽データーを保管する事ができる音楽記憶部、システム動作を修正する事ができるリセット・電源スイッチ装置、音楽データーを放送受信機へ送信する事ができる無線送信機を備えたワイヤレス音楽プレーヤー（１）の構成において音楽情報とその制御情報を表示する事が出来る表示装置を有しメモリー４の音楽データーの全て又は一部を音楽記憶部に記憶し電源を切断しても再度同じメモリー４をセットし再生を行う事により音楽記憶部に記憶されている指定音楽データーと照合し迅速に音楽再生を行う事が出来る構成と音楽ソースを複数入力する事が出来る入力端子によりそれぞれの音楽データーに対応した入力音楽ソースを自動的に認識し再生する事が出来る機能と更にシステム動作が停止した場合、迅速にシステム修正を行う事が出来るリセット機能を有した構成と自動車のエンジンキーのＯＮ／ＯＦＦに関係無く本システムの電源を任意にＯＮ／ＯＦＦする事ができる機能をもった音楽再生装置においてそれぞれの機能を単独又は複合して構成された事を特徴としたワイヤレス音楽再生装置。
【請求項２】
自動車のシガライタープラグから電源を供給する事が出来る構成を有した請求項１に記載したワイヤレス音楽プレーヤー（１）の構成において図５に示す一般商用電力又はガッテリー等からのＤＣ電源から電力の供給を得てワイヤレス音楽プレーヤー（１）を動作させる事が出来る電源機能を有したクレードル構成により放送受信機又は受信機能を持った音楽再生装置へ音楽データーを送信して音楽を聞く事が出来るクレードルとシステム構成を図った事を特徴としたワイヤレス音楽再生装置。
【請求項３】
自動車のシガライターソケットに対応させた図６に示す音楽データーを放送受信機へ送信する事が出来る無線送信部、送信電波の周波数を選択する事が出来る機能、複数の音楽データーを入力する事ができる入力端子を備え尚且つ音楽プレーヤーへ電力を提供する事ができる電源部を有したワイヤレス送信ユニットを構成し更に単数のメモリーに音楽を録音しその音楽データーを再生する事ができる機能を有した音楽プレーヤー（ａ）を構成しその音楽プレーヤー（ａ）は音楽再生機能を選択する切替え装置、音楽データーを再生する為の処理装置、音楽情報を表示する表示装置、再生音楽データーの出力装置、更に再生音楽データーをワイヤレス送信ユニットへ送る為の通信ケーブル構成と専用の接続コネクター対応ができる構成を有しワイヤレス送信ユニットへ再生音楽データーを送る事ができる機能を有し尚且つ音楽データーを放送受信機へ送信して音楽再生する事が出来る構成と特徴を有したワイヤレス音楽再生装置。
【請求項４】
自動車のシガライターソケットに対応させた図６に示す音楽データーを放送受信機へ送信する事が出来る無線送信部、送信電波の周波数を選択する事が出来る機能、複数の音楽データーを入力する事ができる入力端子を備え尚且つ音楽プレーヤーへ電力を提供する事ができる電源部を有したワイヤレス送信ユニットを構成し更に複数のメモリーに音楽を録音しその音楽データーを再生する事ができる機能を有した音楽プレーヤー（ｂ）を構成しその音楽プレーヤー（ｂ）は複数のメモリーに対応したメモリースロット端子を設け更に複数のメモリーの動作中スロットが分かるメモリー動作位置表示を設け複数のメモリーチェンジ装置、音楽再生機能を選択する切替え装置、音楽データーを再生する為の処理装置、音楽情報を表示する表示装置、再生音楽データーの出力装置、更に再生音楽データーをワイヤレス送信ユニットへ送る為の通信ケーブル構成と専用の接続コネクター対応ができる構成を有しワイヤレス送信ユニットへ再生音楽データーを送る事ができる機能を有し尚且つ音楽データーを放送受信機へ送信して音楽再生する事が出来る構成と特徴を有したワイヤレス音楽再生装置。
【請求項５】
自動車のシガライターソケットに対応させた図７に示す音楽データーを放送受信機へ送信する事が出来る無線送信部、送信電波の周波数を選択する事が出来る機能、複数の音楽データーを入力する事ができる入力端子を備え尚且つ音楽プレーヤーへ電力を提供する事ができる電源部を有したワイヤレス送信ユニットを構成し更に複数のメモリーに音楽を録音しその音楽データーを再生する事ができる機能を有した音楽プレーヤー（ｃ）を構成しその音楽プレーヤー（ｃ）は複数のメモリーに対応したメモリースロット端子とメモリー動作スロット動作位置表示を有し音楽再生機能を選択する切替え装置、音楽データーを再生する為の信号処理装置、音楽情報を表示する表示装置、再生音楽データーの出力装置、更に再生音楽データーをワイヤレス送信ユニットへ送る事ができる通信ケーブル構成とワイヤレス送信ユニットの使用を行う事無く音楽プレーヤー（Ｃ）に携帯で使用する事ができるヘッドホーン機能を設け更に内部に電源としての電池を設け携帯使用する事が出来る構成を有し自動車と携帯の両方で音楽を聞く事が出来るマルチ使用に対応した事を特徴としたメモリーチェンジャー機能を有した音楽プレーヤー（Ｃ）とワイヤレス送信ユニットによるワイヤレス音楽再生装置。
【請求項６】
自動車のシガライターソケットに対応させる事なく図８に示す音楽プレーヤー（ｄ）構成により単数のメモリーに音楽を録音しその音楽データーを再生する事ができる機能を有した音楽プレーヤー（ｄ）を構成しその音楽プレーヤー（ｄ）は音楽再生機能を選択する切替え装置、音楽データーを再生する為の処理装置、音楽情報を表示する表示装置、再生音楽データーの出力装置、更には音楽データーを放送受信機へ送信する事ができる無線送信部を有し音楽プレーヤー（ｄ）内部には電源として使用する電池を設け音楽データーを放送受信機へ送信して音楽再生する事が出来る構成と特徴を有したワイヤレス音楽再生装置。
【請求項７】
自動車のシガライターソケットに対応させる事なく図８に示す音楽プレーヤー（ｅ）構成において音楽データーを外部のシステムから直接入力する事ができる構成を有しその手段として音楽プレーヤー（ｅ）の一端にパソコン接続用プラグを設け内部メモリーへ直接パソコンから音楽データーを取り出して内部メモリーへ蓄積する構成を有し音楽プレーヤー（ｅ）は音楽再生機能を選択する切替え装置、音楽データーを再生する為の処理装置、音楽情報を表示する表示装置、再生音楽データーの出力装置、更には音楽データーを放送受信機へ送信する事ができる無線送信部を有し音楽プレーヤー（ｅ）内部には電源として使用する電池を設け音楽データーを放送受信機へ送信して音楽再生する事が出来る構成と特徴を有したワイヤレス音楽再生装置。
【請求項８】
自動車のシガライターソケットに対応させる事なく図９に示す音楽プレーヤー（ｆ）の構成により音楽データーを無線送信部により直接放送受信機へ送信する事が出来る機能を有し更に音楽データーが記録されているメモリー４を複数接続する事ができるメモリースロット端子とスロット動作位置表示を有し音楽再生機能を選択する切替え装置、音楽データーを再生する為の信号処理装置、音楽情報を表示する事ができる表示装置、再生音楽データーの出力装置を有し更には電源装置として外部電源例えば一般商用電力のＡＣ又はバッテリー等のＤＣ電源が対応され内部には電池が設けられており携帯使用が可能な構成を有し携帯時はイヤーホーン又はヘッドホーンにより音楽を聞く事ができ自動車ではバッテリーからの電力提供を受け放送受信機により音楽を聞く事ができ更にホームではオーディオシステムの放送受信機を使用して音楽を聞く事が出来る機能とメモリーチェンジャー構成による機能を有た事を特徴としたワイヤレス音楽再生装置。
【請求項９】
自動車のシガライターソケットに対応した図１０によるワイヤレス音楽プレーヤー（２）において内部に大きな音楽データーを記録保持する事ができる音楽メモリー機能を持ち単数の外部メモリーと内部メモリーに記録されている音楽ソースを再生して放送受信機により音楽を聞く事ができる構成と更に外部音楽再生プレーヤーによる音楽ソースも再生する事ができる構成を有し尚且つワイヤレスリモコンにより音楽再生の操作を行う事が可能な構成を有したワイヤレス音楽プレーヤーにおいて複数の音楽を入力する事ができる端子と入力インターフェース、音楽入力信号処理部、再生音楽情報表示を行う事ができる表示装置、音楽再生を選択する機能制御装置（操作ツマミ）、音楽データーを保管する事ができる音楽メモリー部、これらの制御を行う事ができるＣＰＵ（中央信号処理装置）、音楽データーを放送受信機へ送信する事ができる無線送信機更にはワイヤレスリモコン受信機を備えパーソナルコンピューターにより編集された音楽データー及び単数の外部メモリー、外部音楽再生プレーヤーによる音楽データーを入力し必要な音楽データーを音楽メモリー部へ蓄積し再生する事ができ更に内部メモリーと単数の外部メモリー及び外部音楽再生プレーヤーからの音楽ソースを放送受信機へ送信して音楽を聞く事ができる構成を有た構成と音楽選択をワイヤレスリモコンを用いて制御する事が可能な構成を有したワイヤレス音楽再生装置。
【請求項１０】
請求項９によるワイヤレス音楽プレーヤー（２）構成において図１２に示す音楽ソースの入力を容易にする為に音楽データー作成と編集を行う事ができるパーソナルコンピューターの入出力端子に対応した接続端子をワイヤレス音楽プレーヤー（２）の一端に設けこの入出力端子を直接パーソナルコンピューターのデーター入出力端子へ接続する事により通信ケーブル等の接続を不要とした音楽ソース入力方式を構成する事ができる特徴を有したワイヤレス音楽再生装置。
【発明の詳細な説明】
【技術分野】
【０００１】  本発明は、自動車に設置されているシガライターソケット又はバッテリーから電源供給を受けて音楽を再生する事が出来るワイヤレス音楽再生装置に関するものでその再生音楽を無線通信手段即ちワイヤレスによりカーラジオ又は受信再生手段を持った装置に音楽データー送信し容易に音楽を再生して楽しむ事が出来る音楽再生装置に関する。
【背景技術】
【０００２】  近年、音楽の楽しみ方はデジタル技術の進歩によりその音楽の録音再生が容易となり装置も小型化、軽量化、省電力化等、多くの革新的技術により商品が開発され音楽の楽しみ方は場所、形式を問わず多様化した。【０００３】  これらの音楽装置の実現には多くの革新的な技術開発がなされ特に半導体技術を中心にソフト技術の開発が進みアナログ技術の時代からデジタル技術へとその方向が急速に進歩し更に音楽を含めた音声圧縮技術の技術進歩により大きな容量の音楽データーを圧縮して記録又は遠方へ送信する事が可能となった。【０００４】  このような背景技術により自動車、電車、バス、飛行機、船舶、家庭、散歩、等において使用する事ができる音楽再生装置の応用開発は更に進みその商品の種類も拡大し多くの人々が多様な形態の音楽再生装置により高品質の音楽を楽しむ事が出来るようになった。【０００５】  本発明のワイヤレス音楽再生装置もその中の多様化された音楽再生装置の一つで自動車及びホーム、オフィス、等の場所において簡単に放送受信機を用いて音楽を楽しむ事が出来るワイヤレス音楽再生装置である。【０００６】  従来の自動車にはカーラジオ、カセットテープ、ＣＤ、ＭＤチェンジャー等を中心とした音楽再生装置がそれぞれ単独又は複合化の形で設置されていた。
ここ数十年の間にＣＤ、ＭＤプレーヤー等、ポーターブル携帯型音楽再生装置の普及も拡大し携帯型音楽再生装置を自動車に持ち込んで音楽を楽しむ機会も多くなった。【０００７】  このような背景の中でワイヤレス方式により音楽をカーラジオ等へ送信し簡単に音楽を聞く事が出来る装置も開発されてきた。
これらの背景技術により音楽を聞くための装置は形、方式等を問わず開発されるようになりその形態も多様化し何処にいても音楽を聞くことが出来る時代となった。
しかしこのような音楽再生装置は進歩し多様化した反面、未だ技術的にも開発が遅れている分野が多く残されている。【０００８】  特にワイヤレス音楽再生装置は簡単に音楽が聞ける半面、他の音楽再生装置に比べ機能、操作性、拡張性、装置のシステム構成、等において開発課題が残されている。【０００９】  図２に従来のワイヤレス音楽再生装置の一例を示す。図１はこれらのワイヤレス音楽再生装置で音楽を聞くために必要な音楽ソースの一般的な作成方法を示す。【００１０】  図２によるワイヤレスプレーヤー８で音楽を聞く為にはメモリー４へデジタル音楽データーを図１に示すパーソナルコンピューター１により記録し図２に示すメモリーセット方向５に沿ってセットする事により音楽データーは音楽再生部９へ送られる。【００１１】  音楽再生部９はメモリー４から入力されたデジタル音楽データーをアナログ音楽データーに変換する。
アナログ音楽データーに変換された音楽信号は無線送信部１０により音楽データー送信電波２１として変調し放送受信機２２へ送信する。【００１２】  この送信された音楽データー送信電波２１はアンテナ２０により受信され放送受信機２２により復調されその音楽はスピーカー２７から出力され音楽を聞く事が出来る。【００１３】  放送受信機２２は放送受信周波数を表示する事ができる受信表示器２３が設けられておりワイヤレスプレーヤー８から送られてくる送信周波数に合わす事が出来る周波数選択ツマミ２４が設けられており同調をとる事により音楽を受信する事ができる構成となっている。
このようなプロセスにより受信した音楽を放送受信機２２により聞く事が出来る。【００１４】  図１にデジタル音楽ソースの作成方法を示す。
一般的に音楽ソース（１）６は録音済みのＣＤ、ＭＤ又はインターネット配信等を利用したダウンロードによる音楽を音楽ソース（２）７として使用する事ができる。【００１５】  これらの音楽ソースは一度パーソナルコンピューター１に取り込み記録装置であるハードディスク等へ保存し専用の記録用ソフトを用いてメモリー４へ書き込みを行う。【００１６】  メモリー４への書き込み方法はパーソナルコンピューター１の画面２に表示された記録用ソフトの手順に基づいてキーボード３を操作する事により指定された音楽は自動的にメモリー４へ転送されデジタル音楽データーとして記録される。【００１７】  このような方法により音楽データーはメモリー４に記録されワイヤレスプレーヤー８で再生する為のデジタル音楽ソースを作成する事が出来る。【００１８】  更にワイヤレスプレーヤー８を動作させる為の電源は自動車に設置されているシガライターソケット１５を使用し電力の供給を受ける。
電力供給はワイヤレスプレーヤー８のプラグ部１１をプラグ挿入方向１４に沿ってセットする事によりマイナス−電極１２及びプラス＋電極１３はシガーライトソケット１５のソケット−電極１７及びソケット＋電極１６にそれぞれ接触し自動車バッテリーへ接続されている電源＋コード１８及び電源−コード１９により電力供給を受ける事ができる。【００１９】  以上のような構成により自動車のシガーライトソケット１５から電源供給を受けて音楽を再生する事が出来る。【００２０】  しかし従来のワイヤレス音楽再生装置はこのように簡単に音楽再生を行う機能は持っているが、その音楽の曲名、音楽の順番、音楽の選曲、音楽の再生レベル、等の情報表示機能は無く更にはセットされるメモリー４は単数構成で複数のメモリー４を構成して多くの音楽を聞く事が不可能な構成となっている。【００２１】  音楽再生情報は使用者にとって重要な要素であり尚且つ音楽を自由に選択及び制御し音楽の設定等を行い多くの音楽を簡単に聞く事が出来る機能は重要である。【００２２】  又、メモリー４へ記録するデジタル音楽データーは決められた複数の方式が存在し使用者は任意に選択しメモリー４へ記録する事が可能である。但し従来のワイヤレスプレーヤー８は限定された一つの音楽圧縮方式による再生しか出来ない構成が一般的である。【００２３】  更に音楽データーの入力は一つの入力端子で構成されアナログ録音、デジタル録音、等の録音形式の音楽データーを再生する事が出来ない構成を有していた。【００２４】  又、このような構成のワイヤレスプレーヤー８による音楽再生装置は自動車のエンジンキーを外す事により電源がＯＦＦされて再生音楽データーは初期状態に戻り継続して音楽を聞く事が出来ない構成を有し更に音楽情報表示が無い為にその音楽の選曲が困難な状態となる。【００２５】  メモリー４には複数の音楽圧縮方式の音楽を記録再生する事が可能であるが、ワイヤレス音楽再生装置はデジタル音楽データー再生時に動作が停止する事もありこの場合はシガライターソケットからワイヤレスプレーヤー８を外して初期状態に戻す事が頻繁に起こった。【００２６】  このように自動車に設置されているシガライターソケットから電源供給を受ける構成を有した従来のワイヤレス音楽再生装置は簡単に放送受信機２２へ音楽データーを送信し音楽再生を行う事が出来る反面このような課題が残されている。【００２７】  この他、同様なメモリー４を使った構成による応用装置と簡単で更に低価格なワイヤレス音楽再生装置の要望も多い。
【発明の開示】
【発明が解決しようとする課題】
【００２８】
【００２９】  自動車に設置されているシガライターソケットから電源供給を受けて構成するワイヤレス音楽再生装置において従来の音楽再生装置の課題である音楽情報機能と制御機能、更にはメモリー４を使った拡張システムの構成により従来のワイヤレス音楽再生装置の課題解決によりシガライターソケットを使った課題解決によるワイヤレス音楽再生装置及び応用システム装置の提供を行うものである。
【課題を解決するための手段】
【００３０】本発明は上記、課題解決の為に次の技術的手段を有する。【００３１】  本、発明のワイヤレス音楽再生装置は従来の課題解決の為にシステム構成を新たなプロセス手段をもって解決を図り更にその拡張性あるシステム構成及び応用システムを最適な技術的手段を用いて課題解決を行なうものである。【００３２】  本発明の方式によるワイヤレス音楽再生装置は前記課題の音楽情報機能と音楽の曲名及び音楽の順番、音楽レベル、等の表示手段及び各機能選択と音楽制御及び自動車エンジンキーによるＯＦＦによる音楽データーの消滅、音楽の再リセット方式、放送受信機へ送信される電波の周波数セット更には従来構成されなかったシステム構成を含めたワイヤレス音楽再生装置を以下の手段を用いてこれを解決するものである。【００３３】  ワイヤレス音楽再生装置であるワイヤレス音楽プレーヤー（１）２８には音楽情報機能の開示手段であるメインとなる表示器（１）３３を設けこの表示器は漢字、数字、ローマ字、カタカナ、ひらがな等の表示が出来る構成を有する手段をもつ。【００３４】  これらの手段を用いる事により多くの音楽情報を表示する事ができその音楽データーはそれぞれの音楽情報に基づいて再生時に自動的に情報検出され表示が行われる。
更に音楽の曲番表示は音楽データーに記録されている音楽の再生順番をカウントしその曲番を表示すると同時にそのカウントデーターを音楽データーメモリー部１０３へ保管する手段を用いる。【００３５】  音楽データーに曲名を記録する手段としては図１に示したパーソナルコンピューター１においてメモリー４への音楽データー記録時にそれぞれの音楽ソースのリストに曲名をキーボード３により漢字、ローマ字、数字、カタカナ、により入力し音楽データーを作成する手段を用いる事が可能となる。【００３６】  更には音楽の曲名データーが記録されている音楽ソースもありこれらのデーターを使う事も可能である。
ワイヤレス音楽再生装置はこれらの再生音楽データーに基づいてその情報を表示器（１）３３に表示する構成を有する。【００３７】  表示器（１）３３にはこれらの文字に対応した文字変換ソフトが設けられており音楽データーの中から文字データーを自動的に読み取り曲名等の表示を表示器（１）３３に表示する。【００３８】  又、音楽の順番表示は音楽データー再生処理時にその再生曲の音楽データーから再生順番をカウントしその数字を表示器（１）３３へ表示し同時に音楽記録部１０３へそのデーターを保管する。
曲の進行とバックの両方を表示させる手段は音楽データーメモリー部１０３に保管されている音楽データーと同期をとって進行方向の順番及びバックの順番を数字又は曲名で表示する事を可能とさせる。【００３９】  最近は通信回線を用いた音楽配信が可能となりこれらの音楽データーに曲名が添付されているデーターもありこれらの表示はワイヤレス音楽再生装置側に持っている文字変換ソフトにより同様に表示器（１）３３に音楽の曲名を表示させる事が可能である。【００４０】  又、ワイヤレスプレーヤー（１）２８から放送受信機２２へ送信される電波の周波数表示は無線送信部に設けられている周波数設定データーを周波数数値に置き換えて表示器（１）３３又は表示器３４へチャネル表示する事ができる。【００４１】  更には表示器（２）３４にその周波数表示順番を１、２、３、４、等の表示を設け点灯表示させてその周波数の内容が分かる方式を使う事も可能である。【００４２】  入力音楽ソースは一つの音楽圧縮方式による音楽ソースのみを入力する従来の構成に対して入力端子を機能別に複数設ける事により問題解決を図る手段を用いる。【００４３】  入力される音楽データーはデジタルデーターとアナログデーターが存在しこれらの入力端子を分離しデーター種別に設けこれを別々に処理する事により音楽データーを再生する事が可能となり更にこの音楽データーを無線送信部により変調し音楽送信電波として放送受信機２２へ送信する事を可能とさせる。【００４４】  パーソナルコンピューター１によりメモリー４へ記録する音楽データーには複数の音楽圧縮データーフォーマットを選択記録する事ができる。
このような複数の音楽圧縮データーはワイヤレス音楽プレーヤー２８に内蔵されている適合ソフト識別装置により自動認識されて対応するソフトにより複数のデジタル音楽データーを認識して再生する事が可能となる。【００４５】  更にこの適合ソフトにより識別された音楽情報は表示器（１）３３へ表示されその音楽情報を得る事ができる。
又、メモリー４による音楽再生処理及びメモリー４へ音楽を記録するエンコードソフトの不適合によりシステムスに異常が生じた場合、リセット・電源スイッチ９８により瞬時にシステムを回復する機能を有した手段を用いて解決を図っている。【００４６】  エンジンキーをＯＦＦした場合、シガライターソケット１５に接続されている電源はＯＮ状態の車種も存在しこの為にワイヤレス音楽プレーヤー（１）２８は常時動作状態が続き長期間の駐車においてバッテリーの消耗を加速する事が起こる。この為にリセット・電源スイチ９８を設け任意にＯＦＦする事によりこれらの課題解決を図る。【００４７】  従来のワイヤレスプレーヤーは単数のメモリー４で構成されておりその音楽再生曲数は限定された構成となっていたが、メモリー４を複数設けるスロットを構成しメモリ４の複数チャネル方式の手段を用いる事により多くの音楽を聞く事ができる。
このような各種の手段を用いることにより更に機能的なシステム構成を実現する事が可能となり使い易いワイヤレス音楽再生装置を構成提供する事が可能となる。
【発明の効果】
【００４８】  本発明は、以下に記載される特徴と効果を奏する。【００４９】  本発明のワイヤレス音楽再生装置は自動車に設置されているシガライターソケットから電源供給を受け配線工事を必要とせずにシステムの動作を行う事ができ更に音楽ソースは市販のパーンナルコンピューター等の装置から簡単に音楽データーをメモリー４へ記録することができ尚且つこのメモリー４を本発明のワイヤレス音楽再生装置にセットする事により簡単に自動車で音楽を聴く事が出来る新しい音楽の再生装置を提供する事ができる。【００５０】  従来、自動車で音楽を聞く手段はカーラジオによる放送受信、音楽テープを使ったカセットデッキ、ＣＤを使ったチェンジャー等により音楽を聞いていた。
本、発明のワイヤレス音楽再生装置はこれらのカセットデッキ、ＣＤ、ＭＤチェンジャー等の装置を不要とし自動車のカーラジオを使って簡単に音楽を再生して聞く事ができる特徴を有ししかも自動車以外の放送受信機（ラジオ等）を用いて音を聞く事ができる従来に無い音楽装置を提供することが可能となる。
【発明を実施するための最良の形態】
【００５１】  本発明のワイヤレス音楽再生装置を実施するための最良の形態一例を図３〜図４に示し更にその関連する実施の形態一例をを図５〜図１２に示しそれぞれの構成を各図に基づいて説明する。【００５２】  図３は本発明のワイヤレス音楽プレーヤー（１）２８の構成を示し図４はその動作フローチャートを示す。【００５３】  図５は自動車以外の場所においてワイヤレス音楽プレーヤー（１）２８を使用しその音楽送信データーを一般の放送受信機により受信し音楽を聞く事が出来る電源接続機能を有したクレードル構成を示したものである。【００５４】  図６はワイヤレス音楽プレーヤー（１）２８から音楽データーを送信するワイヤレス送信ユニット部と音楽再生機能部を分離してそれぞれの機能の最適化を図った構成によりワイヤレス音楽再生装置を構成したもので音楽プレーヤー部はメモリー４を単数接続できる音楽プレーヤー（ａ）４２とメモリー４を複数接続する事ができるメモリースロット端子を有したメモリーチェンジャー機能を持つ音楽プレーヤー（ｂ）４９の構成図を示す。【００５５】  図７は図６に示す音楽プレーヤー（ｂ）４９の構成に電源を内部へ設置しヘッドホーン５７を用いて携帯で音楽を聞く事ができる構成とワイヤレス送信ユニット５３へ通信ケーブル（１）４１を接続する事により自動車においても音楽を聞く事が出来る２方式の使い方ができる構成を有した音楽プレーヤー（ｃ）５４の構成を示す。【００５６】  図８は音楽プレーヤー（ｄ）６０及び音楽プレーヤー（ｅ）６２を示しそれぞれの音楽プレーヤーに電源機能と無線送信部１０を設け直接、放送受信機２２へ音楽データー送信電波を送信する事が出来る構成を有したものである。【００５７】  図９は図７で示した音楽プレーヤー（Ｃ）５４を基本に内部に無線送信部１０を設け放送受信機２２へ直接音楽データー送信電波２１を送る事が出来る構成とヘッドホーン５７及び複数のメモリー４をセットする事ができるメモリースロット端子５２を有し内部に電源機能と外部からも電源供給を得られる構成を有し携帯ではヘッドホーン、自動車、家庭は放送受信機を使用して音楽を聞く事ができる構成を示したものである。【００５８】  図１０はワイヤレス音楽プレーヤー（２）８８内へ音楽データーを蓄積する事が出来るメモリー機能を有したシステム構成を示し図１１にそのロック構成の一例示す。【００５９】  図１２は図１０に示したワイヤレス音楽プレーヤー（２）８８の構成を基本として入力端子４を設けパーソナルコンピューター１直接接続する事により音楽データーを入力する事ができる構成の一例を示したものである。【００６０】  このように図２に示した従来のワイヤレスプレーヤーにおける課題解決を図る事により図３〜図１２に示しす構成を実現する事が可能となる。
【実施例１】
【００６１】  図３に本発明のワイヤレス音楽プレーヤー（１）２８の実施例１の構成を示す。
図３、図（ａ）は音楽データー入力端子部、図（ｂ）は操作部と機能構成、図（Ｃ）は自動車に設置されているシガライターソケット部１５、図（ｄ）は放送受信機２２を示す。【００６２】  図４は図３に示したワイヤレス音楽レーヤー（１）２８のシステム動作プロセスを示したものである。【００６３】  本発明のワイヤレス音楽プレーヤー（１）２８の動作を図３〜図４により説明する。
図（ａ）に示した入力端子（１）２９はＣＤプレーヤー又はＭＤプレーヤー等の外部音楽再生プレーヤー３９からアナログ音楽信号を入力する事ができる入力端子（１）２９及びメモリー４からデジタル音楽データーを入力する事ができる入力端子（２）３０及び入力端子（３）３１を有し任意に再生音楽ソースの入力を行う事ができる機能を有している。【００６４】  図（ｂ）に本発明のワイヤレス音楽プレーヤー（１）２８の操作部と機能構成を示したもので各入力端子より入力された音楽データーは表示器（１）３３に音楽情報が表示され音楽ストップ／プレーツマミ３６を操作する事により音楽がスタートし音楽アップツマミ３５を操作する事により音楽は進み音楽ダウンツマミ３７を操作する事により音楽の再生順番は戻再生を行う。【００６５】音楽の曲名、音楽の順番、音楽レベル、音楽データー送信電波２１の周波数等は表示器（１）３３に表示され更に必要なサブ機能表示は表示器（２）３４に表示される。
放送受信機２２へ送信する音楽データー送信電波２１の送信周波数設定は送信周波数選択ツマミ３８により設定する事が可能である。【００６６】図（Ｃ）はシガーライトソケット１５の構成を示し内部にはソケット＋電極１６、ソケット−電極１７が配置されておりこれらの各電極はプラグ部１１に配置されているプラグ＋電極１３、プラグ−電極１２に対応しワイヤレス音楽プレーヤー（１）２８をシガーライターソケットをプラグ挿入方向１４に沿ってセットする事により自動車バッテリーから電力の供給を得る事ができる。【００６７】図（ｄ）は放送受信機２２の構成を示したもので放送受信機２２はアンテナ２０、受信周波数を表示する事ができる受信機表示器２３、受信周波数を選択する受信周波数選択ツマミ２４、機能切替えツマミ２５、電源線２６を有しワイヤレス音楽プレーヤー（１）２８からの音楽データー送信電波２１を受信し音楽を再生する機能をもっている。【００６８】  このような構成によりワイヤレス音楽プレーヤー（１）２８により音楽を聞く事が可能となりワイヤレス音楽プレーヤー（１）２８をシガーライトソケット１５へセットしメモリー４を図３、図（ａ）に示す入力端子（２）３０へメモリー挿入方向３２に従ってセットする事により音楽は再生を開始する。【００６９】  ワイヤレス音楽再生プロセスを図４及び図３の構成と関連させて説明する。
図１に示した音楽録音プロセスにより音楽データーを記録したメモリー４を図３、図（ａ）の入力端子（２）３０又は入力端子（３）３１へメモリー４をセットする。【００７０】  記録された音楽データーは図４によると適合ソフト識別部９５により自動的に音楽データーの記録方式が認識され適合認識された場合は音楽再生がスタートする。不適合の場合は表示器（１）３３へ表示され音楽再生が行われない。再生された音楽データーは音楽再生信号処理部９６によりその音楽情報を表示器３３へ表示し音楽情報内容を見る事ができる。【００７１】  再生された音楽の曲目選択は表示器（１）３３の音楽選択部９７により設定操作を行なう事により音楽選択決定部により決定される。
表示器（１）３３には一例としては曲名、曲番号、再生曲順番、信号レベル、音楽データー圧縮種別、送信周波数、等の再生音楽情報が任意に表示される。【００７２】  再生音楽を選択決定する事により音楽再生制御部９９は放送受信機２２へ送る音楽再生データーを音楽信号送信制御部１００へ送り無線送信部１０はその音楽データー送信電波２１を放送受信機２２へ送信する。【００７３】  図（ｄ）に示す放送受信機２２はワイヤレス音楽プレーヤー（１）２８から送信された音楽データー送信電波２１をアンテナ２０が受信し放送受信機２２はその受信電波を復調し音楽をスピーカー２７から出力して聞く事が出来る。【００７４】  このようなワイヤレス音楽プレーヤー（１）２８に表示器（１）３３及び表示器（２）３４、複数の音楽ソース入力に対応できる入力端子（１）２９、入力端子（２）３０、入力端子（３）３１等を設け簡単に音楽の選択ができる構成を有する事がが可能となる。【００７５】  しかし従来このような構成におけるワイヤレス音楽再生装置には再生音楽データーを蓄積するメモリー機能を有していない為に自動車のエンジンキーをＯＦＦする事によりそのデーターは消滅し再度自動車エンジンキーをＯＮする事によりシステムがリセットされ初期状態に戻ってしまう。【００７６】  この為に再生音楽は最初の音楽からスターを開始し多くの音楽データーを検索する為には大きな障害を生じていた。【００７７】  この為にこれらの音楽データを蓄積する一メモリ部１０３を設け再生した音楽データーを任意にメモリーし自動車のエンジンキーを外しても音楽データーを消滅させる事無く次に同じメモリー４を使用した場合は最後に再生した音楽を継続して聞く事ができるメモリー機能を有している。【００７８】  更にメモリー４に記録された音楽データーの録音形式及び操作等の動作不具合によりシステムがストップした場合はリセット・電源スイッチ９８を設ける事により瞬時にシステムを回復する機能を有している。【００７９】  又、自動車の車種によってはエンジンキーを外してもシガライターソケット１５へは自動車バッテリーからの電力が供給されておりこの為にワイヤレス音楽プレーヤー（１）２８へは常時電力が供給されている状態が起こり長期間自動車を運転しない場合はバッテリーの消耗を加速する事が起こる。この為にリセット・電源スイチを設けてシステムの電源をＯＦＦさせる手段を用いて課題解決を行っている。【００８０】  このような構成により更に機能的なワイヤレス音楽再生装置を提供する事が可能となる。
【実施例２】
【００８１】  図５に示す本発明のワイヤレス音楽プレーヤー（１）２８を自動車以外の分野で例えば一般商用電力、ＤＣ電源、電池、等を電源としてワイヤレス音楽プレーヤー（１）２８を動作させ多くの放送受信機２２において音楽を聞く事ができる構成を有している。【００８２】  自動車以外の分野でワイヤレス音楽プレーヤー（１）２８を動作させて音楽を再生し放送受信機２２で聞く場合は図５、図（ｂ）に示す、クレードル９４をシステム構成を図り更にこのクレードル９４には一般商用電力（ＡＣ）又は電池（ＤＣ）が接続できる機能を構成を有する。【００８３】  クレードル９４にはワイヤレス音楽プレーヤー（１）２８のプラグ部１１に設けられているプラグ−電極１２及びプラグ＋電極１３に対応したソケット＋電極１６及びソケット−電極１７が設けられ接合される構成を有している。【００８４】  このような構成を有したクレードル９４へワイヤレス音楽プレーヤー（１）２８のプラグ部１１をプラグ挿入方向１４に沿ってセットする事により固定されワイヤレス音楽プレーヤー（１）２８へ電力が供給される。【００８５】  このような応用例によると自動車ではシガーライトプラグ１５を使用して自動車に搭載されている放送受信機２２へにより音楽を聞き自動車以外のその他の場所ではクレードル１０５を一般商用電力（ＡＣ）用のソケットへ接続する事によりワイヤレス音楽プレーヤー（１）２８を動作させて自宅のラジオを使って音楽を受信する事も可能となる。【００８６】  更にはクレードル９４へ電池（ＤＣ）を接続して使用する事によりその使用する用途を更に広げる事が可能となる。【００８７】  このような方式を用いる事により自動車とそれ以外の多くの場所で同じワイヤレス音楽プレーヤー（１）２８により音楽を再生して聞く事が出来る特徴をもったシステムを構成する事が出来る。
【実施例３】
【００８８】  図６に本発明のワイヤレス音楽再生装置の一例であるワイヤレス送信ユニット５３と本、ワイヤレス送信ユニットに接続可能な図６、図（ｄ）に示す音楽プレーヤー（ａ）４２及び図（ｆ）に示す音楽プレーヤー（ｂ）４９の構成を示したものである。【００８９】  ワイヤレス送信ユニット５３はワイヤレスにより音楽データーを放送受信機２２へ送信する事が出来る機能を有した送信機で音楽プレーヤー（ａ）４２及び音楽プレーヤー（ｂ）４３はメモリー４に録音された音楽を再生する事ができる機能を有した音楽再生装置である。【００９０】  このように音楽データーを放送受信機２２へ送信する事が出来る機能を音楽プレーヤー（ａ）４２及び音楽プレーヤー（ｂ）４３の構成から分離させる事により双方を小型化させる事が可能となり更にそれぞれの機能と操作性の向上を図る事が可能となる。【００９１】  本、構成による動作説明を以下に行う。
図６（ａ）はワイヤレス送信ユニット５３の側面を示し複数の音楽ソースを入力する事ができる入力端子を有しこの端子には複数の音楽形式により録音された音楽ソースをそれぞれの入力端子に接続する事により音楽を再生する事が出来る入力端子構成を示す。【００９２】図（ｂ）は放送受信機２２へ音楽データーを送信する事が出来るワイヤレス送信ユニット５３の機能構成を示し図（ｃ）はワイヤレス送信ユニット５３へ電力を供給する機能をもった自動車に設置されているシガライターソケット１５を示す。【００９３】図（ｄ）は単数のメモリー４を接続する事が出来るスロット端子を有した音楽プレーヤー（ａ）４２で単数のメモリー４の音楽を再生する事が出来る機能を有し、ワイヤレス送信ユニット５３へ接続する事により放送受信機２２により音楽を聞く事が出来る構成を示す。【００９４】図（ｅ）は音楽プレーヤー（ａ）４２に示す通信ケーブル（１）４１を使用する事無く音楽再生データーを直接ワイヤレス送信ユニット５３の入力端子３０へ接続する事が出来る接続プラグ１０４を示したものである。【００９５】図（ｆ）は複数のメモリー４を接続する事が出来るスロット端子を有した音楽プレーヤー（ｂ）４９でそれぞれのメモリー４の音楽を再生する事が出来る機能を有し、ワイヤレス送信ユニット５３へ接続する事により放送受信機２２により音楽を聞く事が出来る構成を示す。【００９６】図（ｇ）は音楽プレーヤー（ｂ）４９に示す通信ケーブル（１）４１通信ケーブル（１）４１を使用する事無く音楽再生データーを直接ワイヤレス送信ユニット５３の入力端子３０へ接続する事が出来る接続プラグ１０４を示したものである。【００９７】  このような音楽プレーヤー（ａ）４２及び音楽プレーヤー（ｂ）４９の機能を有した装置からワイヤレス送信ユニット５３へ音楽再生データーを送り更に放送受信機２２は音楽データー送信電波２１を受信し復調する事によりスピーカー２７により音楽を出力させる事が可能となる。【００９８】  音楽プレーヤー（ａ）４２には音楽の曲名、曲番号、信号レベル等、の音楽再生情報を表示させる事ができる表示器（３）４８が設けられており音楽ソースの選択、音楽データー処理機能、音楽操作機能、等を有し音楽を再生する事が出来る構成を有している。【００９９】  この音楽プレーヤー（ａ）４２は単数のメモリー４が接続出来る入力端子（４）４３が設けられておりメモリー４をメモリー挿入方向３２の方向にセットする事により音楽データーは出力、転送されてストップ・再生ツマミ４５を操作する事により音楽の再生が開始され表示器（３）４８にその音楽情報が表示される。【０１００】  再生された音楽データーはワイヤレス送信ユニット５３に接続された通信ケーブル（１）４１を通してワイヤレス送信ユニット５３の入力端子（２）３０へ入力されその音楽データーは無線送信部１０により変調され放送受信機２２へ音楽データー送信電波２１として送信される。【０１０１】放送受信機２２はその音楽データーをアンテナ２０により受信し放送受信機２２はその音楽信号を復調しスピーカー２７により音楽を出力する事ができる構成を有する。【０１０２】又、図（ｅ）に示す音楽プレーヤー（ａ）４２には接続プラグ（４���及び通信ケーブル（１）４１の片方又は両方の構成を有しワイヤレス送信ユニット５３へ音楽再生データーを送る事が出来る特徴を有する。【０１０３】音楽プレーヤー（ｂ）４９は複数のメモリー４を接続する事が出来るメモリースロット端子５２を有し多くの音楽を聞く事ができるメモリーチェンジャー機能をもった特徴を有し音楽プレーヤー（ｂ）４９である。【０１０４】この音楽プレーヤー（ｂ）４９はワイヤレス送信ユニット５３へ音楽データーを送る為の通信ケーブル（１）４１を接続する事が出来る構成を有している。【０１０５】又、これらの音楽プレーヤー（ａ）４２及び音楽プレーヤー（ｂ）４９は自動車での使用時はワイヤレス送信ユニット５３に接続された通信ケーブル（１）４１により電源の供給が得られる構成となっており長時間の音楽再生においても電源の心配をする事無く音楽を楽しむ事ができる構成を有している。【０１０６】音楽プレーヤー（ｂ）４９は複数のメモリー４を接続する事が出来るスロット端子５２を有し多くの音楽を聞く事ができるメモリーチェンジャー機能をもっている。
この方式は音楽ソースを多く持つ事ができる特徴から長時間の音楽再生が可能である。更にメモリースロット端子５２を複数もっている事により任意にメモリー４を追加する事により聞きたい音楽を自由にスロット端子５２に接続して選択する事ができる。【０１０７】  例えばメモリー４を複数接続する事が可能な為にメモリー４に記録する音楽データーを音楽ジャンル別に構成し演歌、ジャズ、クラッシック、等のそれぞれの音楽データーをメモリー４に記録しそれぞれのメモリースロット端子にセットする事により自分の好みの音楽を任意に選択再生する事が可能となる。【０１０８】  又、音楽データーの変更は音楽ジャンル別に録音されたメモリー４を追加又は交換する事により簡単に新しい音楽を再生する事が出来る従来に無いシステム構成が可能となり更に使い勝手を向上させる事が出来る。【０１０９】  音楽プレーヤー（ｂ）４９には複数のメモリースロット端子５２が設けられておりメモリーチェンジツマミ５０の操作により任意の音楽を再生をする事ができ更にはシステム制御により音楽再生を行わせる事も可能で複数のメモリー４の動作位置が認識できるメモリー動作位置表示５１、音楽情報を表示する事ができる表示器（３）４８、機能切替ツマミ４４、音楽再生を操作する音楽ストップ・再生ツマミ４５、音楽再生アップツマミ４６、音楽再生ダウンツマミ４７、等が構成されそれぞれの機能に対応している。【０１１０】  音楽プレーヤー（ｂ）４９により音楽再生を行うには図１の構成により音楽データーを記録されたメモリー４をメモリースロット端子５２の任意の位置にセットする。
音楽再生は音楽プレーヤー（ｂ）４９のストップ・再生ツマミ４５を操作する事により音楽データーは図４に示した動作プロセスと同様な過程を経て音楽再生が開始され表示器（３）４８へ音楽情報が表示される。【０１１１】  機能切替えツマミ４４によりメモリー４の動作切替え又は選択によりその情報は表示器（３）４８へ表示された音楽情報に基づき聞きたい曲を自由に選択し音楽再生アップツマミ４６及び音楽再生ダウンツマミ４７の操作を行う事により自由に音楽を選択再生する事ができる。【０１１２】  再生された音楽信号は通信ケーブル（１）４１によりワイヤレス送信ユニット５３の無線送信部１０へ送られて変調された音楽データー送信電波２１を放送受信機２２へ送り受信した放送受信機２２はその受信電波を復調しスピーカー２７より音楽を出力する。【０１１３】  音楽プレーヤー（ｂ）４９には各メモリー４のメモリースロット端子の動作位置を認識することができるメモリー動作位置表示５１が設けられておりメモリーチェンジツマミ５０により選択されたメモリー４の位置が認識できるようになっている。【０１１４】  又、これらのメモリーチェンジツマミ５０により選択された各メモリー４の音楽情報は表示器（３）４８に表示される。【０１１５】  更に複数セットされているメモリー４の音楽ソースを連続的に聞く事も可能で例えば５個のメモリー４をメモリースロットへセットした場合、全てのメモリー４を連続的に再生し又は指定したメモリー４のみを再生する事も可能で又は選択した音楽の再生順序をプログラムする事により再生を行う事も機能切替えツマミ４４により可能な構成を有している。【０１１６】  このような単数のメモリー４の構成を有した音楽プレーヤー（ａ）４２と複数のメモリー４構成を有したメモリーチェンジャー機能により音楽を聞く事が出来る音楽プレーヤー（ｂ）４９の特徴を持ったワイヤレス音楽再生装置を提供する事が出来る。
【実施例４】
【０１１７】  図７は本発明のワイヤレス音楽再生装置のメモリー４によるメモリー４のチェンジャー方式の一例を示したものである。
この構成は図６において説明した音楽プレーヤー（ｂ）４９の構成を基本とし多くの音楽再生を行う事ができるメモリー４を複数もったチェンジャー機能を構成し連続的に音楽を再生する事ができる特徴を有した音楽プレーヤー（ｃ）５４である。【０１１８】  近年、音楽を聞く楽しみ方は多様化し音楽ジャンルも同様に広がり音楽再生装置は日常生活に必要なツールとして多くの人々に使われるようになってきた。
このような環境の中で多くの音楽を自由に且つ迅速に選択できる機能を持った音楽再生装置の要望も高まりこのような要望に対しての手段として本発明による図７に示す音楽プレーヤー（ｃ）５４を構成するものである。【０１１９】  図７に示す音楽プレーヤー（ｃ）５４は内部に電池５８を設け携帯により音楽を聞く事が出来る構成を有し更にヘッドホーン５７により歩行又は電車、バス、等の環境においても音楽を楽しむ事ができる構成を有しておりヘッドホーンの音量は音量アップツマミ５５及び音量ダウンツマミ５６により行う事が出来る。【０１２０】  更に自動車内において音楽を聞く場合はワイヤレス送信ユニット５３を使用して放送受信機２２により音楽を聞く事ができるマルチ使用ができる音楽再生装置を提供する事が出来る。【０１２１】  この方式は図６に示した音楽プレーヤー（ｂ）４９の構成と同様に複数のメモリー４を接続する事が出来るメモリーチェンジャー方式によりそれぞれのメモリー４を任意にメモリースロット端子５２へセットする事によりそれぞれの違った音楽ジャンルを迅速に切替えその音楽情報を表示器（３）４８へ表示し音楽を再生する事が出来る。【０１２２】  更に複数のメモリー４の音楽再生順番は機能切替えツマミ４４により音楽再生プログラムをセットする事も可能である。
メモリー４へ各ジャンル別の音楽データーを記録する事により音楽の再生と選択が容易となり操作上の利便性が向上する。【０１２３】  音楽プレーヤー（ｃ）５４により音楽再生を行うには図１の構成により音楽データーを記録されたメモリー４をメモリースロット端子５２の任意位置にセットし機能切替えスイッチ４４の操作に機能選択等を行いストップ・再生ツマミ４５を操作する事により音楽データーは再生を開始する。【０１２４】  この音楽プレーヤー（ｃ）５４に接続されている通信ケーブル（１）４１をワイヤレス通信ユニット５３の入力端子（１）２９に接続プラグ（１）４０を用いて接続する事により音楽プレーヤー（ｃ）５４の音楽データーは無線送信部１０へ送られその音楽データーは無線送信部１０により変調され放送受信機２２側において復調されてその音楽はスピーカー２７により出力して音楽を再生して聞く事が可能となる。【０１２５】  更に音楽プレーヤー（ｃ）５４はワイヤレス送信ユニット５３から電源の供給を受けて音楽を再生する事が可能な構成を有しこの場合は通信ケーブル４１を接続プラグ（３）７４を使用して入力端子（２）３０へ接続する事により音楽データーの転送と電力の供給を同時に受ける事が可能となり電池を使う事無く長時間音楽を再生する事が出来る構成と特徴を有する。【０１２６】  このような構成により音楽プレーヤー（ｃ）５４を自動車で使用する場合はシガライターソケット１５に接続して電力の供給を受けて音楽を再生する事ができる構成を有し更に自動車を降車した場合は音楽プレーヤー（Ｃ）５４に内蔵されている電池５８により装置を動作させ歩行中においてもヘッドホーン５７を使用して音楽を楽しむ事が出来る構成と特徴を有した音楽再生装置を提供する事が可能となる。
【実施例５】
【０１２７】  図８は本発明のワイヤレス音楽再生装置の応用例である音楽プレーヤー（ｄ）６０及び音楽プレーヤー（ｅ）６２の構成を示したものでこれらの装置は音楽を放送受信機２２へ直接音楽データー送信電波２１を用いて送信する事が出来る無線送信機能を有しどのような自動車のラジオにも対応する事が出来る構成を有している。【０１２８】  本、方式はそれぞれの音楽プレーヤー内に電源である電池５８を設け外部からの電源を使用する事無くどのような自動車へもラジオが設置されていれば本発明の音楽プレーヤー（ｄ）６０及び音楽プレーヤー（ｅ）６２により音楽を聞く事が出来る構成を有している。【０１２９】本発明の音楽プレーヤー（ｄ）６０は図６において説明した音楽プレーヤー（ａ）４２の構成に電源として電池５８を設け更に音楽を放送受信機２２へ送信する為の無線送信部１０を設けた構成である。【０１３０】  音楽再生は音楽データーが記録されているメモリー４を音楽プレーヤー（ｄ）６０の入力端子（４）４３へメモリー挿入方向３２に沿ってセットする事により音楽データーは音楽プレーヤー（ｄ）６０へ送られその音楽情報は表示器（３）４８に表示される。【０１３１】  音楽再生は図６に示した操作方法に基づいて動作させる事により音楽を再生し無線送信部１０はその音楽を放送受信機２２へ音楽データー送信電波２１を直接送信し放送受信機２２はその受信電波を受信してスピーカー２７より音楽を出力する事ができる特徴を持った音楽プレーヤー（ｄ）６０を構成するものである。【０１３２】  音楽プレーヤー（ｅ）６２は音楽プレーヤー（ｄ）６０の構成におけるメモリー４を内蔵させて更に音楽を記録する為の外部端子として接続プラグ（２）６１を設けて図１に示すパーソナルコンピューター１に直接接続プラグ６１を接続して音楽を内部メモリー６３へ記録する事ができる構成を有し更に無線送信部１０を有する事により音楽データーを無線送信部１０により直接放送受信機２２へ音楽データー送信電波２１を送信し放送受信機２２はその受信電波を受信復調してスピーカー２７より音楽を出力する事ができるワイヤレス音楽再生装置を構成する。【０１３３】  このように音楽プレーヤー（ｄ）６０及び音楽プレーヤー（ｅ）６２は自動車に設置されている放送受信機２２へ直接音楽データー送信電波２１を送り音楽を聞く事ができる構成と特徴を有したワイヤレス音楽再生装置を提供するものである。
【実施例６】
【０１３４】  図９は本発明のワイヤレス音楽再生装置の応用例である音楽プレーヤー（ｆ）６４の構成を示したものである。
本、音楽プレーヤー（ｆ）６４は図７に示した音楽プレーヤー（ｃ）５４の構成を基本として外部電源、例えばＡＣ又はＤＣ電源が使える為の端子を有し内部電池と外部電源の複数電源を使用する事が出来る構成を有したものである。【０１３５】  更には無線送信部１０を構成し直接自動車に設置されている放送受信機２２へ音楽データー送信電波２１を直接送る事が可能で音楽再生を容易にできる事ができる構成を有している。【０１３６】  このような構成により本、音楽プレーヤー（ｆ）６４はヘッドホーン５７を構成しているために携帯で音楽を聞く場合は内部の電池を電源として使い自動車で使用する場合は図７に示すシガーライター１５から電源を供給し更にホーム（家）等ではＡＣ電源から電力の供給を得てシステムを動作させる事が出来る構成によりどのような場所に移動しても音楽を聞く事が出来る。【０１３７】  基本的な動作は図７に示す音楽プレーヤー（ｃ）５４と同じ構成を有し複数のメモリー４を接続する事が出来るメモリースロット端子５２の構成により多くの音楽を聞く事が出来るメモリー４をセットする事が可能となる。【０１３８】  本、音楽プレーヤー（ｆ）６４の動作について図９に基づいて説明する。
音楽プレーヤー（ｆ）６４により音楽再生を行う為には図１の構成により音楽データーを記録されたメモリー４をメモリースロット端子５２の任意の位置にセットする。【０１３９】  メモリースロット端子５２へセットされた複数のメモリー４の中から指定するメモリー４による音楽再生を行おうとする場合はメモリーチェンジツマミ５０を操作する事により指定位置のメモリー４を選択する事が出来る。【０１４０】  選択されたメモリー４の位置はメモリー動作位置表示５１にランプ等により表示されその位置を確認する事が出来る。再生音楽の再生順番、レベル、システムプログラム、等の機能設定を必要とする場合は機能切替えツマミ４４により任意に機能をセットする事が可能である。【０１４１】  再生するメモリー４が指定される事により音楽データーは音楽再生部５９により再生信号処理が行われその音楽再生情報は表示器（３）４８に表示される。
表示情報に沿って音楽ストップ・再生ツマミ４５を操作する事により音楽は再生を行う事が可能となる。【０１４２】  更に音楽再生アップツマミ４６を操作する事により音楽は再生を開始し音楽再生ダウンツマミ４７を操作する事により音楽は戻り再生を行う。
次に音楽を聞く為の手段は２つあり一つはヘッドホーン５７で音楽を聞く事が出来る方法と放送受信機２２により音楽を聞く事が出来る２つの機能を有している。【０１４３】  これらの選択は機能切替えツマミ４４により行う事が出来る。
ヘッドホーン５７に機能設定される事により再生音楽はヘッドホーン５７から聞く事が可能となり音量は音量アップツマミ５５及び音量ダウンツマミ５６により調整する。【０１４４】次に放送受信機２２により音楽を聞く為には機能切替えツマミ４４を放送受信機に設定する事により再生される音楽データーは無線送信部１０により再生音楽データーは変調され音楽データー送信波２１として放送受信機２２へ送信される。【０１４５】  送信された音楽データー送信波２１をアンテナ２０が受信し放送受信機２２はその信号を復調しスピーカー２７により音楽を再生する。【０１４６】  音楽プレーヤー（ｆ）６４の電源は内部に設けた電池５８及び外部電源９２からの電力供給により動作する事が出来る構成を有している。【０１４７】  このような構成と機能によるメモリー４を使ったメモリーチェンジャー方式はワイヤレスにより放送受信機２２により音楽再生を行う事ができ更に携帯での使用、家庭で放送受信機２２を使って音楽再生を行う事が出来るマルチ用途に使う事ができる構成と特徴を有したワイヤレス音楽装置を提供する事ができる。
【実施例７】
【０１４８】  図１０及び図１１に本発明のワイヤレス音楽再生装置の応用の一例であるワイヤレス音楽プレーヤー（２）８８の構成を示したものである。
本、ワイヤレス音楽プレーヤー（２）８８は内部に音楽データーを記録保持する事ができる音楽メモリー機能を持ち音楽データーが記録されたメモリー４の使用も可能とし内部の音楽メモリー部に記録した音楽ソースを再生して放送受信機により音楽が聞ける構成を有している。【０１４９】  図１０（ａ）はワイヤレス音楽プレーヤー（２）８８の音楽データー入力端子部の一例を示し図（ｂ）は機能操作構成を示し、図（ｃ）は電力の供給を受ける事ができるシガライターソケット１５の構成を示したものである。【０１５０】  図１１は図１０に示した本発明のワイヤレス音楽プレーヤー（２）８８のシステムブロックの一例を示したものであり図（ｄ）は放送受信機２２を示したものでワイヤレス音楽プレーヤー（２）８８から送信された音楽データーを再生して聞く事ができる機能を有している。【０１５１】  本発明のワイヤレス音楽プレーヤー（２）８８の再生音楽データーは図１に示したパーナルコンピューター１からの音楽データーを入力端子（２）３０へ入力しそのデーターを音楽ソースとして使う事が出でき更にメモリー４による音楽データーと外部音楽プレーヤー３９による音楽データーの再生も可能としている。【０１５２】  ワイヤレス音楽プレーヤー（２）８８は図（ｂ）に示す機能表示部８１、機能制御ツマミ７９、表示器（２）３４、送信周波数選択ツマミ３８、プラグ部１１、等の操作構成を有し更にワイヤレスリモコンにより音楽を制御する機能も任意に設ける事も可能な構成を有している。【０１５３】  ワイヤレスリモコン８９はリモコン電波９０をリモコン受信機９１へ送信する事により音楽の選択操作を行う事が可能となる。【０１５４】  音楽再生は図１に示したパーソナルコンピューター１により編集された音楽データー及びメモリー４更には外部音楽再生装置３９による音楽データーはそれぞれ入力端子（２）３０及び外部音入力端子（１）２９を経由して図１１に示す入力インターフェース７５に入力される。【０１５５】入力されたそれぞれの音楽データーは機能制御部７８による機能制御ツマミ７９により選択され音楽データーは音楽入力信号処理部７６により再生信号としてＣＰＵ（中央信号処理部）７７の制御により音楽メモリー部８３へ保管される。【０１５６】  音楽メモリー部８３へ保管された音楽データーは表示制御部８０を介してその音楽情報を機能表示器８１へ表示される。【０１５７】  更に機能表示器８１へ表示された音楽情報に基づいて機能制御ツマミ７９により音楽を選択する事により再生音楽データーは送信音楽信号処理部８２へ送られ通信制御部８４により送信変調が行われ無線送信部１０により放送受信機２２へ音楽データー送信電波２１を送信する。【０１５８】  音楽データー送信電波２１を受信した放送受信機２２はアンテナ２０により入力した信号を復調してスピーカー２７により音楽を再生する事ができる。【０１５９】  ワイヤレス音楽プレーヤー（２）８８から放送受信機２２へ送信する送信周波数は送信周波数選択ツマミ３８により選択する事により設定する事が可能となる。
更に設定された送信周波数は表示器（２）３４へ表示する事が出来る。【０１６０】  電源はシガーライターソケット１５へワイヤレス音楽プレーヤー（２）８８をセットする事によりプラグ部１１に設けられているそれぞれの＋−電極が接触して自動車バッテリーから電力を供給する事が可能となる。【０１６１】  このような構成により内部に設けた音楽メモリー部８３の音楽データーをメインとして多くの音楽ソースを再生する事ができる。【０１６２】  更に音楽の操作性を向上する為にワイヤレスリモコン８９を設ける事により音楽の曲目選択を離れた場所から行う事が可能となる。
ワイヤレスリモコン８９には音楽の選択を行うためのツマミが設けられておりツマミ操作によりリモコン電波はリモコン受信機９１により受信されＣＰＵ（中央信号処理装置）７７はリモコンからの信号により音楽の選択の制御を行い再生音楽を選択する。【０１６３】  このようなワイヤレス音楽プレーヤー（２）８８の構成により外部のメモリー４を使用する事が可能で尚且つ内部の音楽メモリー部８３に保管された音楽ソースを再生して音楽を聞く事が出来るワイヤレス音楽プレーヤー（２）８８の構成を特徴を有したワイヤレス音楽再生装置を提供する事が出来る。
【実施例８】
【０１６４】  図１２は本発明の図１０に示すワイヤレス音楽プレーヤー（２）８８を基本としてワイヤレス音楽プレーヤー（３）１０２を構成しその実施の一例を示したもので、音楽ソースの入力を容易にする為に入力端子（４）１０１を設けこの入力端子（４）１０１を直接、メモリー挿入方向３２に沿ってパーソナルコンピューター１のデーター入出力端子へ接続する事により通信ケーブル等の接続を不要とし音楽ソースを入力する事ができる特徴を有し音楽ソースの入力と再生を簡単化したことを特徴としたワイヤレス音楽プレーヤー（３）１０２を構成するものである。
【産業上の利用可能性】
【０１６５】  本、ワイヤレス音楽再生装置は自動車を中心とした多くの分野で簡単に音楽を聞く事ができる装置で新しい構成により簡単に放送受信機に音楽を送信して聞く事ができる新しい音楽の聞き方を提供するもので音楽ソースはパソコン等により好みの音楽を自由に編集作成してメモリーに録音し自動車の放送受信機により簡単に音楽を聞く事が出来る新しい音楽再生装置である。
このような方式による音楽再生装置は多くの音楽ファンに新しい音楽の聞き方を提供し更には新しい技術革新による産業を創造するものである。
【図面の簡単な説明】
【０１６６】
【図１】本、発明のワイヤレス音楽再生装置で音楽を聞くための音楽ソースの作成編集及びメモリー４へ音楽データーを記録する為のシステムの一例を示す。
【図２】従来のワイヤレス音楽再生装置の一例を示す。
【図３】本発明のワイヤレス音楽プレーヤー（１）の実施の一例を示す。
【図４】本発明の図３によるワイヤレス音楽プレーヤー（１）の実施例の動作プロセスを示す。
【図５】本発明のワイヤレス音楽プレーヤー（１）の電源を複数の電源部から得られるためのクレードルと組合せた方式の一例を示す。
【図６】本発明のワイヤレス音楽再生装置の実施の一例を示しワイヤレス送信ユニット、単数のメモリー４を使った音楽プレーヤー（ａ）及び複数のメモリー４を使ったチェンジャー方式による音楽プレーヤー（ｂ）構成の実施の一例を示す。
【図７】本発明による複数のメモリー４構成によるメモリーチェンジャー方式の音楽プレーヤー（ｃ）の実施の一例を示す。
【図８】本発明の音楽プレーヤー（ｄ）及び音楽プレーヤー（ｅ）に無線送信部を有した事を特徴とした方式の実施の一例を示す。
【図９】本発明の音楽プレーヤー（ｆ）に複数のメモリー４を構成し多くの音楽を聞くためのメモリースロットを有したワイヤレス音楽再生装置の実施の一例を示す。
【図１０】本発明のワイヤレス音楽プレーヤー（２）の内部に音楽データーを蓄積できるメモリーを設け外部メモリーを使う事無く音楽を再生する事ができる方式による実施の一例を示す。
【図１１】図１０に示したワイヤレス音楽プレーヤー（２）の動作ブロック構成の一例をを示す。
【図１２】図１０に示したワイヤレス音楽プレーヤー（２）に入力端子（４）を設け直接パソコンからの音楽データー入力する事が出来る方式の実施の一例を示す。
【符号の説明】
【０１６７】  １．パーソナルコンピューター
２．画面
３．キーボード
４．メモリー
５．メモリーセット方向
６．音楽ソース（１）
７．音楽ソース（２）
８．ワイヤレスプレーヤー
９．音楽再生部
１０．無線送信部
１１．プラグ部
１２．プラグ−電極
１３．プラグ＋電極
１４．プラグ挿入方向
１５．シガーライターソケット
１６．ソケット＋電極
１７．ソケット−電極
１８．電源＋コード
１９．電源−コード
２０．アンテナ
２１．音楽データー送信電波
２２．放送受信機
２３．受信機表示器
２４．受信周波数選択ツマミ
２５．機能切換ツマミ
２６．電源線
２７．スピーカー
２８．ワイヤレス音楽プレーヤー（１）
２９．入力端子（１）
３０．入力端子（２）
３１．入力端子（３）
３２．メモリー挿入方向
３３．表示器（１）
３４．表示器（２）
３５．音楽アップツマミ
３６．音楽スットプ／再生ツマミ
３７．音楽ダウンツマミ
３８．送信周波数選択ツマミ
３９．外部音楽再生プレーヤー
４０．接続プラグ（１）
４１．通信ケーブル（１）
４２．音楽プレーヤー（ａ）
４３．入力端子（４）
４４．機能切換ツマミ
４５．音楽ストップ・再生ツマミ
４６．音楽再生アップツマミ
４７．音楽再生ダウンツマミ
４８．表示器（３）
４９．音楽プレーヤー（ｂ）
５０．メモリーチェンジツマミ
５１．メモリー動作位置表示
５２．メモリースロット端子
５３．ワイヤレス送信ユニット
５４．音楽プレーヤー（ｃ）
５５．音量アップツマミ
５６．音量ダウンツマミ
５７．ヘッドホーン
５８．電池
５９．音楽出力切替えツマミ
６０．音楽プレーヤー（ｄ）
６１．接続プラグ（２）
６２．音楽プレーヤー（ｅ）
６３．内部メモリー
６４．音楽プレーヤー（ｆ）
６５．セキュリティープレヤー
６６．セキュリティー警報送信機
６７．セキュリティー動作電波
６８．検知センサー
６９．検知方向（１）
７０．検知方向（２）
７１．検知方向（３）
７２．リモコン受信機
７３．リモコン制御電波
７４．接続プラグ（３）
７５．入力インターフェース
７６．音楽入力信号処理部
７７．ＣＰＵ（中央信号処理部）
７８．機能制御部
７９．機能制御ツマミ
８０．表示制御部
８１．機能表示器
８２．送信音楽信号処理部
８３．音楽メモリー部
８４．通信制御部
８５．周波数表示制御部
８６．電源部
８７．電源ライン
８８．ワイヤレス音楽プレーヤー（２）
８９．ワイヤレスリモコン
９０．リモコン電波
９１．リモコン受信機
９２．外部電源
９３．周波数設定ツマミ
９４．クレードル
９５．適合ソフト識別部
９６．音楽再生信号処理部
９７．音楽選択部
９８．リセット・電源スイッチ
９９．再生制御部
１００．音楽信号送信制御部
１０１．入力端子（４）
１０２．ワイヤレス音楽プレーヤー（３）
１０３．音楽データーメモリー部
１０４．接続プラグ（４）
【図１】
2006199255.tif 000003
【図２】
2006199255.tif 000004
【図３】
2006199255.tif 000005
【図４】
2006199255.tif 000006
【図５】
2006199255.tif 000007
【図６】
2006199255.tif 000008
【図７】
2006199255.tif 000009
【図８】
2006199255.tif 000010
【図９】
2006199255.tif 000011
【図１０】
2006199255.tif 000012
【図１１】
2006199255.tif 000013
【図１２】
2006199255.tif 000014